(57)【要約】【課題】画像を用いた歯科診療録の作成負荷を軽減するとともに、歯科診療録への入力誤りを防止する。【解決手段】複数の歯科用画像が記憶された画像記憶手段２１と、複数のコメントが記憶されたコメント記憶手段２２と、診療情報とともに当該診療情報用の画像の編集要求を受け付ける要求受付手段１１と、診療情報に対応する歯科用画像を画像記憶手段２１から特定する画像特定手段１２と、診療情報に基づいてコメント記憶手段２２から複数のコメントを抽出するコメント抽出手段１３と、画像特定手段１２が特定した歯科用画像とコメント抽出手段１３が抽出した複数のコメントとを含む編集画面を生成する生成手段１５と、編集画面で選択されたコメントおよび編集画面に表示された歯科用画像とを関連付けて歯科診療録記憶手段２４に登録する登録手段１６と、を有する。【選択図】図１
2008146339.tif 000002
【特許請求の範囲】
【請求項１】
歯科診療録生成システムであって、
複数の歯科用画像が記憶された画像記憶手段と、
複数のコメントが記憶されたコメント記憶手段と、
診療情報とともに、当該診療情報用の画像の編集要求を受け付ける要求受付手段と、
前記診療情報に対応する歯科用画像を前記画像記憶手段から特定する画像特定手段と、
前記診療情報に基づいて、前記コメント記憶手段から複数のコメントを抽出するコメント抽出手段と、
前記画像特定手段が特定した歯科用画像と、前記コメント抽出手段が抽出した複数のコメントとを含む編集画面を生成する生成手段と、
前記編集画面で選択されたコメントおよび前記編集画面に表示された歯科用画像とを関連付けて歯科診療録記憶手段に登録する登録手段と、を有すること
を特徴とする歯科診療録生成システム。
【請求項２】
請求項１記載の歯科診療録生成システムであって、
前記画像記憶手段に記憶された歯科用画像毎に、対応する部品が記憶された部品記憶手段と、
前記編集画面に表示された歯科用画像に対応する部品を、前記部品記憶手段から特定する部品特定手段と、をさらに有し、
前記生成手段は、前記部品特定手段が特定した部品を、前記編集画面に表示された歯科用画像上に表示すること
を特徴とする歯科診療録生成システム。
【請求項３】
請求項１記載の歯科診療録生成システムであって、
前記画像記憶手段の前記編集画面に表示された歯科用画像における、前記診療情報の使用回数を更新するとともに、前記コメント記憶手段の前記編集画面で選択されたコメントにおける、前記診療情報の使用回数を更新する更新手段と、をさらに有し、
前記画像特定手段は、前記診療情報の使用回数が最大となる歯科用画像を、前記画像記憶手段から特定し、
前記コメント抽出部は、前記診療情報の使用回数が所定の回数以上のコメントを、前記コメント記憶手段から抽出すること
を特徴とする歯科診療録生成システム。
【請求項４】
歯科診療録生成システムが行う、歯科診療記録生成方法であって、
前記歯科診療録生成システムは、複数の歯科用画像が記憶された画像記憶部と、複数のコメントが記憶されたコメント記憶部と、処理部と、を有し、
前記処理部は、
診療情報とともに、当該診療情報用の画像の編集要求を受け付ける要求受付ステップと、
前記診療情報に対応する歯科用画像を前記画像記憶部から特定する画像特定ステップと、
前記診療情報に基づいて、前記コメント記憶部から複数のコメントを抽出するコメント抽出ステップと、
前記画像特定ステップで特定した歯科用画像と、前記コメント抽出ステップで抽出した複数のコメントとを含む編集画面を生成する生成ステップと、
前記編集画面で選択されたコメントおよび前記編集画面に表示された歯科用画像とを関連付けて歯科診療録記憶部に登録する登録ステップと、を行うこと
を特徴とする歯科診療録生成方法。
【請求項５】
請求項４記載の歯科診療録生成方法であって、
前記画像記憶部に記憶された歯科用画像毎に、対応する部品が記憶された部品記憶部を、さらに有し、
前記編集画面に表示された歯科用画像に対応する部品を、前記部品記憶部から特定する部品特定ステップと、
前記部品特定ステップで特定した部品を、前記編集画面に表示された歯科用画像上に設定する部品設定ステップと、をさらに行うこと
を特徴とする歯科診療録生成方法。
【請求項６】
歯科診療録生成システムが実行する、歯科診療記録生成プログラムであって、
前記歯科診療録生成システムは、複数の歯科用画像が記憶された画像記憶部と、複数のコメントが記憶されたコメント記憶部と、処理部と、を有し、
前記処理部に、
診療情報とともに、当該診療情報用の画像の編集要求を受け付ける要求受付ステップと、
前記診療情報に対応する歯科用画像を前記画像記憶部から特定する画像特定ステップと、
前記診療情報に基づいて、前記コメント記憶部から複数のコメントを抽出するコメント抽出ステップと、
前記画像特定ステップで特定した歯科用画像と、前記コメント抽出ステップで抽出した複数のコメントとを含む編集画面を生成する生成ステップと、
前記編集画面で選択されたコメントおよび前記編集画面に表示された歯科用画像とを関連付けて歯科診療録記憶部に登録する登録ステップと、を実行させること
を特徴とする歯科診療録生成プログラム。
【請求項７】
請求項６記載の歯科診療録生成プログラムであって、
前記画像記憶部に記憶された歯科用画像毎に、対応する部品が記憶された部品記憶部を、さらに有し、
前記編集画面に表示された歯科用画像に対応する部品を、前記部品記憶部から特定する部品特定ステップと、
前記部品特定ステップで特定した部品を、前記編集画面に表示された歯科用画像上に設定する部品設定ステップと、をさらに実行させること
を特徴とする歯科診療録生成プログラム。
【発明の詳細な説明】
【技術分野】
【０００１】
本発明は、歯科診療録を生成する歯科診療録生成システム、歯科診療録生成方法、および歯科診療録生成プログラムに関する。
【背景技術】
【０００２】
近年のコンピュータ技術の発達により、コンピュータの小型化が進み、各種の分野においてコンピュータが使用されるようになっている。歯科治療の分野においても同様であり、患者ごとの歯科診療情報をコンピュータに入力し、随時読み出すことができるものが登場してきている。例えば、特許文献１には、患者毎の歯科治療情報を登録し、登録データを処理する歯科治療処理装置が記載されている。
【特許文献１】特開平９−１３１３５６号公報
【発明の開示】
【発明が解決しようとする課題】
【０００３】
さて、歯科診療情報の中には、文章（テキスト）では表現しにくい場合がある。また、歯科医師が診療内容を患者に説明する際に、口頭での説明だけでは患者にとって診療内容を理解することが難しい場合がある。このような場合、シェーマ図などの画像が用いられるが、歯科診療においては、患者毎に診療している部位・病名が異なる場合が多く、また義歯、ブリッジ装置なども患者毎に異なる。そのため、患者の診療内容に応じた画像を作成することは、作業負荷が大きく、また入力ミスにより誤った画像を作成してしまう可能性がある。
【０００４】
また、歯科医師は、診療を行っている最中に、その場で診療内容を患者に説明する場合があるが、この場合、短時間での画像の作成が要求される。
【０００５】
本発明は上記事情に鑑みてなされたものであり、本発明の目的は、画像を用いた歯科診療録の作成負荷を軽減するとともに、歯科診療録への入力誤りを防止する歯科診療録生成システム、歯科診療録生成方法、および歯科診療録生成プログラム提供することにある。
【課題を解決するための手段】
【０００６】
上記課題を解決するために、本発明は、歯科診療録生成システムであって、複数の歯科用画像が記憶された画像記憶手段と、複数のコメントが記憶されたコメント記憶手段と、診療情報とともに、当該診療情報用の画像の編集要求を受け付ける要求受付手段と、前記診療情報に対応する歯科用画像を前記画像記憶手段から特定する画像特定手段と、前記診療情報に基づいて、前記コメント記憶手段から複数のコメントを抽出するコメント抽出手段と、前記画像特定手段が特定した歯科用画像と、前記コメント抽出手段が抽出した複数のコメントとを含む編集画面を生成する生成手段と、前記編集画面で選択されたコメントおよび前記編集画面に表示された歯科用画像とを関連付けて歯科診療録記憶手段に登録する登録手段と、を有する。
【０００７】
また、本発明は、歯科診療録生成システムが行う、歯科診療記録生成方法であって、前記歯科診療録生成システムは、複数の歯科用画像が記憶された画像記憶部と、複数のコメントが記憶されたコメント記憶部と、処理部と、を有し、前記処理部は、診療情報とともに、当該診療情報用の画像の編集要求を受け付ける要求受付ステップと、前記診療情報に対応する歯科用画像を前記画像記憶部から特定する画像特定ステップと、前記診療情報に基づいて、前記コメント記憶部から複数のコメントを抽出するコメント抽出ステップと、前記画像特定ステップで特定した歯科用画像と、前記コメント抽出ステップで抽出した複数のコメントとを含む編集画面を生成する生成ステップと、前記編集画面で選択されたコメントおよび前記編集画面に表示された歯科用画像とを関連付けて歯科診療録記憶部に登録する登録ステップと、を行う。
【０００８】
また、本発明は、歯科診療録生成システムが実行する、歯科診療記録生成プログラムであって、前記歯科診療録生成システムは、複数の歯科用画像が記憶された画像記憶部と、複数のコメントが記憶されたコメント記憶部と、処理部と、を有し、前記処理部に、診療情報とともに、当該診療情報用の画像の編集要求を受け付ける要求受付ステップと、前記診療情報に対応する歯科用画像を前記画像記憶部から特定する画像特定ステップと、前記診療情報に基づいて、前記コメント記憶部から複数のコメントを抽出するコメント抽出ステップと、前記画像特定ステップで特定した歯科用画像と、前記コメント抽出ステップで抽出した複数のコメントとを含む編集画面を生成する生成ステップと、前記編集画面で選択されたコメントおよび前記編集画面に表示された歯科用画像とを関連付けて歯科診療録記憶部に登録する登録ステップと、を実行させる。
【発明の効果】
【０００９】
本発明によれば、画像を用いた歯科診療録の作成負荷を軽減するとともに、歯科診療録への入力誤りを防止する歯科診療録生成システム、歯科診療録生成方法、および歯科診療録生成プログラム提供することができる。
【発明を実施するための最良の形態】
【００１０】
以下、本発明の実施の形態を、図面を用いて説明する。
【００１１】
図１は、本発明の実施の形態に係る歯科診療録生成システム１の概略構成図である。図示する歯科診療録生成システム１は、要求受付部１１と、テンプレート特定部１２（画像特定手段）と、コメント抽出部１３と、部品特定部１４と、生成部１５と、登録部１６と、ＤＢ更新部１７と、テンプレートＤＢ２１（画像記憶手段）と、コメントＤＢ２２と、部品ＤＢ２３と、歯科診療録ＤＢ２４とを備える。
【００１２】
要求受付部１１は、画像データの編集要求を受け付ける。テンプレート特定部１２は、テンプレートＤＢ２１を参照し、診療情報に対応するテンプレートを特定する。コメント抽出部１３は、コメントＤＢ２２を参照し、診療情報に適したコメントを抽出する。
【００１３】
部品特定部１４は、部品ＤＢ２３を参照し、各テンプレートに対応する部品を特定する。生成部１５は、テンプレート特定部１２が特定したテンプレート、およびコメント抽出１３が抽出したコメントに基づいて編集画面を生成し、出力装置（不図示）に表示する。登録部１６は、編集画面に入力されたテンプレートに関する情報、コメントに関する情報、部品に関する情報などを、歯科診療録ＤＢ２４に登録する。ＤＢ更新部１７は、編集画面に入力された情報に基づいて、テンプレートＤＢ２１、コメントＤＢ２２および部品ＤＢ２３を更新する。
【００１４】
テンプレートＤＢ２１には、複数のテンプレート（歯科用画像）が記憶されている。
【００１５】
図２は、テンプレートＤＢ２１の一例を示す図である。図示するテンプレートＤＢ２１は、テンプレートコード２１１と、テンプレート画像（イメージ）２１２と、部位２１３と、歯番および使用回数２１４と、病名および使用回数２１５と、治療内容および使用回数２１６とを有する。
【００１６】
テンプレート画像２１２には、歯科に関する各種の部位および各種の状態を示す画像（いわゆるシェーマ図）が設定されている。部位２１３には、対応するテンプレート画像２１２の部位の種別（歯周、歯牙、ブリッジ、義歯など）が設定されている。
【００１７】
歯番２１４には、対応するテンプレート画像２１２が編集画像で用いられたときの歯番とその使用回数とが設定される。なお、歯番は、歯の位置を特定する識別番号である。病名２１５には、対応するテンプレート画像２１２が編集画像で用いられたときの病名とその使用回数とが設定される。治療内容２１６には、対応するテンプレート画像２１２が編集画像で用いられたときの治療内容のキーワードとその使用回数とが設定される。
【００１８】
コメントＤＢ２２には、テンプレートに付加（貼付）する複数のコメントが記憶されている。
【００１９】
図３は、コメントＤＢ２２の一例を示す図である。図示するコメントＤＢ２２は、コメントコード２２１と、コメント２２２と、部位および使用回数２２３と、歯番および使用回数２２４と、病名および使用回数２２５と、治療内容および使用回数２２６と、テンプレートコードおよび使用回数２２７と、を有する。
【００２０】
コメント２２２には、歯科診療で用いられる各種のコメント（例えば、排膿あり、Ｃ１、Ｃ２、症状変化なし等）が設定されている。部位２２３には、対応するコメント２２２が編集画像で用いられたときの部位とその使用回数とが設定される。歯番２２４には、対応するコメント２２２が編集画像で用いられたときの歯番とその使用回数とが設定される。病名２２５には、対応するコメント２２２が編集画像で用いられたときの病名とその使用回数とが設定される。治療内容２２６には、対応するコメント２２２が編集画像で用いられたときの治療内容のキーワードとその使用回数とが設定される。テンプレートコード２２７には、対応するコメント２２２が編集画像で用いられたときのテンプレートコードとその使用回数とが設定される。
【００２１】
部品ＤＢ２３には、テンプレートに付加（貼付）する部品の情報が記憶されている。なお本実施形態の部品には、テンプレートの所定の箇所を囲むための枠と、枠で囲まれた箇所を指示する矢印とがある。
【００２２】
図４は、部品ＤＢ２３の一例を示す図である。図示する部品ＤＢ２３は、テンプレートコード２３１と、当該テンプレートコード２３１に対応付けられた枠に関する情報２３２および矢印に関する情報２３３と、を有する。枠に関する情報２３２には、対応するテンプレートコード２３１のテンプレートで前回使用された枠に関する情報が設定される。枠に関する情報２３２としては、例えば、枠の形状を示す部品コード、線の太さ、線の色などが考えられる。なお、枠の形状としては、丸や四角などがある。
【００２３】
矢印に関する情報２３３には、対応するテンプレートコード２３１のテンプレートで前回使用された矢印に関する情報が設定される。矢印に関する情報２３３としては、例えば、矢印の形状を示す部品コード、線の太さ、線の色などが考えられる。
【００２４】
なお、テンプレートＤＢ２１、コメントＤＢ２２および部品ＤＢ２３の更新処理については、後述する。
【００２５】
歯科診療録ＤＢ２４は、患者の診療記録のデータが格納されたデータベースである。診療記録データには、例えば、患者単位に診療日時、診療対象の部位、病名、診療内容、患者情報（氏名、生年月日、性別など）などがある。
【００２６】
図５は、診療記録データをディスプレイに表示した場合の表示例を示したものである。図示する診療記録データでは、５１が部位、５２が歯番、５３が病名、５４が診療内容である
以上説明した、歯科診療録生成システム１は、少なくともＣＰＵ（中央演算装置）と、メモリ（主記憶装置）とを備えた汎用的なコンピュータシステムを用いることができる。このコンピュータシステムにおいて、ＣＰＵがメモリ上にロードされた、歯科診療録生成システム用のプログラムを実行することにより、各機能が実現される。また、歯科診療録生成システム１は、ハードディスク等の補助記憶装置と、キーボードやマウスなどの入力装置と、ディスプレイやプリンタなどの出力装置とを備えることとしてもよい。なお、テンプレートＤＢ２１、コメントＤＢ２２、部品ＤＢ２３および歯科診療録ＤＢ２４には、メモリまたは外部記憶装置が用いられる。
【００２７】
また、歯科診療録生成システム１の各種処理を実行するプログラムは、メモリまたは補助記憶装置に格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、ネットワークを介して配信することも可能である。
【００２８】
なお、図１は、歯科診療録生成システム１の論理的な機能構成を示しているものであって、物理的な構成は図１に限定されない。例えば、歯科診療録生成システム１は、１つのコンピュータ装置で構築される場合であっても、各ＤＢ２１、２２、２３、２４を一元的に管理しているサーバと、その他の各部を備える各クライアントとがネットワークを介して接続されている場合であってもよい。
【００２９】
次に、本実施形態に係る歯科診療録生成システム１の処理について説明する。
【００３０】
図６は、歯科診療録生成システム１の処理を示すフローチャートである。
【００３１】
まず、歯科診療録生成システム１の要求受付部１１は、所定の診療情報が指定された描画編集要求を受け付ける（Ｓ１１）。ユーザは、例えば、図５に示す診療記録データの表示画面の操作ボタン５５をクリックすることにより、当該操作ボタン５５に対応する治療内容５６に関する描画編集要求指示を入力することが考えられる。この場合、要求受付部１１は、当該表示画面に表示されている診療記録データの診療情報（部位５１、歯番５２、病名５３、治療内容５５）をパラメータとして取得し、テンプレート特定部１２およびコメント抽出部１３に送出する。
【００３２】
そして、テンプレート特定部１２は、テンプレートＤＢ２１を参照し、Ｓ１１で指定された診療情報の部位５１に対応するテンプレート群を選択する（Ｓ１２）。すなわち、テンプレート特定部１２は、テンプレートＤＢ２１（図２参照）のデータの中からＳ１１で指定された部位を検索キーとして、対応するテンプレートを全て抽出する。例えば、部位が歯牙の場合、歯牙に対応する複数のテンプレートが選択され、後述する処理により選択されたテンプレート群が、図７に示す描画編集画面のテンプレート群表示部７１に表示される。
【００３３】
そして、テンプレート特定部１２は、テンプレートＤＢ２１を参照し、Ｓ１２で選択されたテンプレート群の中からＳ１１で指定された診療情報（歯番５２、病名５３、治療内容５４）に適したテンプレートを特定する（Ｓ１３）。
【００３４】
テンプレートを特定する方法としては、例えば、テンプレートＤＢ２１を参照し、Ｓ１２で選択したテンプレート各々について、Ｓ１１で指定された診療情報５２、５３、５４のそれぞれの使用回数の合計値を算出する。そして、使用回数の合計値が最も大きいテンプレートを特定するものとする。図５に示す診療情報の場合、歯番５２が「上右７」で、病名５２が「Ｐｕｌ」で、治療内容５４のキーワードが「抜髄」である。この場合、テンプレート特定部１２は、テンプレート毎に、「上右７」、「ｐｕｌ」、「抜髄」に対応する使用回数を特定し、当該使用回数の合計値を算出する。なお、使用回数を合計する際に、項目によって重み付けを行うこととしてもよい。
【００３５】
そして、生成部１５は、Ｓ１２で選択したテンプレート群と、Ｓ１３で特定したテンプレートとに基づいて描画編集画面を生成し、出力装置に表示する（Ｓ１４）。
【００３６】
図７は、描画編集画面の一例を示すものである。図示する画面は、テンプレート群表示エリア７１と、編集エリア７２とを有する。生成部１５は、Ｓ１２で選択されたテンプレート群をテンプレート群表示エリア７１に設定し、Ｓ１３で特定されたテンプレートを編集エリア７２に設定する。
【００３７】
なお、編集エリア７２に表示されたテンプレートが、ユーザの意図するテンプレートでなかった場合、ユーザはテンプレート群表示エリア７１の中から所望のテンプレートをマウスなどを用いてクリック（選択）する。これにより、生成部１５は、クリックされたテンプレートを編集エリア７２に表示する。
【００３８】
また、Ｓ１１で指定された診療情報が少ない場合など、Ｓ１３において有効なテンプレートを特定できない場合は、図８に示す描画編集画面のように、テンプレート群表示エリア７１のみを表示することとしてもよい。ユーザは、テンプレート群表示エリア７１の中から所望のテンプレートをクリックし、これにより、生成部１５は、クリックされたテンプレートを編集エリア７２に表示する。
【００３９】
編集エリア７２のテンプレートが決定した後、ユーザは、所定の操作ボタン７３、７４をクリックし、当該テンプレート上に付加する部品の編集要求を入力する。これにより、部品特定部１４は、部品ＤＢ２３を参照し、編集エリア７２に表示されたテンプレートにおいて、前回使用された部品を特定する（Ｓ１５）。すなわち、部品特定部１４は、編集エリア７２のテンプレートのテンプレートコードを取得し、当該テンプレートコードに対応する前回使用した枠および矢印を部品ＤＢ２３から取得する。なお、本実施形態の部品は、図４で説明したように、枠と矢印である。
【００４０】
そして、生成部１５は、部品特定部が特定した部品を、編集エリアのテンプレートに付加した描画編集画面を生成し、出力装置に表示する（Ｓ１６）。
【００４１】
図９は、部品の矢印を編集する際の描画編集画面の一例である。図示する画面は、複数の矢印が表示された矢印選択エリア９１と、部品９３、９４が付加されたテンプレートが表示される編集エリア９２とを有する。生成部１５は、あらかじめメモリまたは補助記憶装置に記憶された矢印選択エリア９１の画像データを読み出し、矢印選択エリア９１に設定するものとする。
【００４２】
なお、編集エリア９２に表示された矢印９３が、ユーザの意図する矢印でなかった場合、ユーザは矢印選択エリア９１の中から所望の矢印をマウスなどを用いてクリック（選択）する。これにより、生成部１５は、クリックされた矢印を編集エリア９２に表示する。
【００４３】
また、部品の枠９４については、図９と同様に、枠を編集する際の描画編集画面を用いて編集するものとする。
【００４４】
部品の編集が終了した後、ユーザは、所定の操作ボタンをクリックし、当該テンプレート上に付加するコメントの編集要求を入力する。これにより、コメント抽出部１３は、コメントＤＢ２２を参照し、Ｓ１１で指定された診療情報、および、描画編集画面の編集エリアのテンプレートに基づいてコメントを抽出し、優先度の順に並び替える（Ｓ１７）。
【００４５】
コメントを抽出する方法としては、例えば、コメントＤＢ２２を参照し、コメント各々について、Ｓ１１で指定された診療情報５１、５２、５３、５４および編集エリアのテンプレートコードの、それぞれの使用回数の合計値を算出する。そして、使用回数の合計値（優先度）の順にコメントを並べ替えるものとする。なお、合計値が「０」または所定の値以下のコメントについては、抽出しないこととする。また、なお、使用回数を合計する際に、項目によって重み付けを行うこととしてもよい。
【００４６】
そして、生成部１５は、コメント編集時の描画編集画面を生成し、表示する（Ｓ１８）。
【００４７】
図１０は、コメント編集時の描画編集画面の一例である。図示する画面は、Ｓ１７で抽出され並べ替えられたコメント一覧が表示されるコメント選択エリア１０１と、編集エリア１０２とを有する。ユーザはコメント選択エリア１０１の中から所望のコメントをマウスなどを用いてクリック（選択）する。これにより、生成部１５は、クリックされたコメントを編集エリア１０２の所定の場所１０３に設定する。
【００４８】
コメント選択エリア１０１には、あらかじめ診療情報およびテンプレートに応じた使用頻度の高いコメントが、絞り込まれて表示され、ユーザは、所望のコメントにカーソルを移動してクリックするだけで、コメントをテンプレートに貼付することができる。これにより、ユーザの作業負荷を軽減し、入力ミスを軽減することができる。
【００４９】
そして、コメントの編集が終了した後、生成部１５は、例えば図１１に示す編集エリアの画像を表示した編集確認画面を表示する。そして、ユーザの登録指示を受け付けて、登録部１６は、編集確認画面に表示されたテンプレートの情報、部品の情報およびコメントの情報を歯科診療録ＤＢ２４に登録する（Ｓ１９）。すなわち、登録部１５は、Ｓ１１で描画編集要求を行った患者に対する診療情報として、編集エリアで使用したテンプレートのテンプレートコードと、部品の情報と、コメントの情報とを関連付けて歯科診療録ＤＢ２４に登録する。部品の情報は、部品コード、線の太さ、線の色、貼付された位置を示す座標情報などである。コメントの情報は、コメントコード、座標情報などである。
【００５０】
編集エリアの画像データそのものを登録せずに、前述したようにコードや番号などのデータの集合体で歯科診療録ＤＢ２４に登録することにより、データベースの容量を削減することができる。また、一旦登録したデータを、後で修正する場合に、各パーツの修正作業を容易に行うことができる。
【００５１】
そして、ＤＢ更新部１７は、編集終了後の編集確認画面（編集エリア）に表示されたテンプレートの情報、部品の情報およびコメントの情報に基づいて、テンプレートＤＢ２１、部品ＤＢ２３およびコメントＤＢ２２を更新する（Ｓ２０）。すなわち、ＤＢ更新部１７は、テンプレートＤＢ２１の当該使用されたテンプレートに対応するデータの中から、Ｓ１１で指定された診療情報（歯番、病名、治療内容）と一致する項目を特定し、当該項目の使用回数に「１」を加算する。なお、テンプレートＤＢ２１に記憶された当該データの中に、指定された診療情報と一致する項目が存在しない場合、ＤＢ更新部１７は、当該項目をテンプレートＤＢ２１に追加し、使用回数に「１」を設定する。
【００５２】
また、ＤＢ更新部１７は、部品ＤＢ２３の当該使用されたテンプレートに対応する枠および矢印に、使用された部品の情報（部品コード、色、太さ等）を設定する。
【００５３】
また、ＤＢ更新部１７は、コメントＤＢ２２の当該使用されたコメントに対応するデータの中から、Ｓ１１で指定された診療情報（部位、歯番、病名、治療内容）および使用されたテンプレートコードと一致する項目を特定し、当該項目の使用回数に「１」を加算する。なお、コメントＤＢ２２に記憶された当該データの中に、指定された診療情報またはテンプレートコードと一致する項目が存在しない場合、ＤＢ更新部１７は、当該項目をコメントＤＢ２２に追加し、使用回数に「１」を設定する。
【００５４】
以上説明した本実施形態の歯科診療録生成システム１では、画像を用いた歯科診療録の作成負荷を軽減するとともに、歯科診療録への入力誤りを防止することができる。
【００５５】
すなわち、本実施形態では、テンプレートＤＢ２１に記憶された複数のテンプレートの中から、診療情報に適したテンプレートを特定し、描画編集画面に表示する。これにより、ユーザのテンプレート選択作業の負荷を軽減し、選択ミスを軽減することができる。
【００５６】
また、本実施形態では、診療情報および使用したテンプレートに基づいて、コメントＤＢ２２に記憶された全てのコメントの中からコメントを絞り込んで描画編集画面に表示し、かつ、絞り込んだコメントを使用頻度を用いてを並び替えて表示する。これにより、ユーザは、所望のコメントを容易に選択でき、また、コメントの選択ミスを軽減することができる。
【００５７】
また、本実施形態の歯科診療録生成システム１では、使用したテンプレートおよびコメントに基づいて、テンプレートＤＢ２１およびコメントＤＢ２２の使用回数を更新する。これにより、次回の描画編集時において、使用頻度の高いテンプレートおよびコメントに基づいて、描画編集画面を生成することかできる。すなわち、ユーザにとって、より使い勝手の良い描画編集画面を提供することができる。
【００５８】
また、本実施形態の歯科診療録生成システム１では、部品ＤＢ２３にはテンプレート毎に、前回使用した部品の情報が記憶され、部品の編集時に部品ＤＢ２３に記憶された前回の部品を表示する。これにより、ユーザの作業負荷を低減することができる。
【００５９】
また、本実施形態の歯科診療録生成システム１では、編集後の画像データそのものを登録せずに、コードや番号などのデータの集合体で歯科診療録ＤＢ２４に登録する。これにより、データベースの容量を削減することができ、また、一旦登録したデータを後で修正する場合に各パーツの修正作業を容易に行うことができる。
【００６０】
以上、本発明の実施の形態について説明してきたが、本発明の要旨を逸脱しない範囲において、本発明の実施の形態に対して種々の変形や変更を施すことができる。
【図面の簡単な説明】
【００６１】
【図１】本発明の実施の形態に係る歯科診療録生成システムの概略構成図である。
【図２】テンプレートＤＢの一例を示す図である。
【図３】コメントＤＢの一例を示す図である。
【図４】部品ＤＢの一例を示す図である。
【図５】歯科診療録ＤＢに記憶された診療データの表示例である。
【図６】歯科診療録生成システムの処理のフローチャートである。
【図７】描画編集画面（テンプレート選択時）の一例を示す図である。
【図８】描画編集画面（テンプレート選択時）の一例を示す図である。
【図９】描画編集画面（部品編集時）の一例を示す図である。
【図１０】描画編集画面（コメント編集時）の一例を示す図である。
【図１１】編集確認画面の一例を示す図である。
【符号の説明】
【００６２】
１  歯科診療録生成システム
１１  要求受付部
１２  テンプレート特定部
１３  コメント抽出部
１４  部品特定部
１５  生成部
１６  登録部
１７  ＤＢ更新部
２１  テンプレートＤＢ
２２  コメントＤＢ
２３  部品ＤＢ
２４  歯科診療録ＤＢ
【図１】
2008146339.tif 000003
【図２】
2008146339.tif 000004
【図３】
2008146339.tif 000005
【図４】
2008146339.tif 000006
【図５】
2008146339.tif 000007
【図６】
2008146339.tif 000008
【図７】
2008146339.tif 000009
【図８】
2008146339.tif 000010
【図９】
2008146339.tif 000011
【図１０】
2008146339.tif 000012
【図１１】
2008146339.tif 000013